(57)【特許請求の範囲】
【請求項１】
複数のラインの各々の露光タイミングが異なる撮像手段と、
前記撮像手段の全てのラインで同時に露光が行われている最終ラインの露光開始タイミングから先頭ラインの露光終了タイミングまでの共通露光期間の内側に発光している発光期間が配されるような第１発光パターンと、前記撮像手段の先頭ラインの露光開始タイミングから最終ラインの露光終了タイミングまでの全露光期間の外側に発光している発光期間が配されるような第２発光パターンとを切替えて発光可能に構成され、且つ、発光強度及び発光時間の両方を調整可能な発光手段と、
前記共通露光期間と、前記発光手段が発光している発光期間との関係が所定条件を満たし、且つ、所定の発光量を確保するように、前記発光手段の発光強度及び発光時間の両方を制御する制御手段と、を備え、
更に、前記制御手段は、前記第１発光パターン及び前記第２発光パターンのうち、前記第１発光パターンを優先的に選択して前記発光手段を発光させることを特徴とする撮像装置。
【請求項２】
前記第１発光パターンにおける前記発光期間の条件を満たし、且つ、前記所定の発光量を確保するように前記発光手段の発光強度及び発光時間を設定可能か否かを判定する第１判定手段を更に備え、
前記制御手段は、前記第１判定手段により設定可能であると判定された場合に、前記第１発光パターン及び前記第２発光パターンのうち、前記第１発光パターンを選択して前記発光手段を発光させることを特徴とする請求項１に記載の撮像装置。
【請求項３】
前記発光手段の発光強度を最大にして前記所定の発光量を確保するために継続して当該発光手段を発光する発光時間を算出する算出手段を更に備え、
前記第１判定手段は、前記算出手段により算出された発光時間が前記第１発光パターンにおける前記発光期間の条件を満たすか否かを判定し、
前記制御手段は、前記第１判定手段により前記第１発光パターンにおける前記発光期間の条件を満たすと判定された場合に、前記発光手段の発光強度を最大、且つ、発光時間を前記算出手段により算出された発光時間に設定して前記発光手段を発光させることを特徴とする請求項２に記載の撮像装置。
【請求項４】
前記制御手段は、更に、前記第１発光パターンで前記発光手段を発光させる場合に、当該第１発光パターンにおける前記発光期間の条件を満たす前記発光手段の発光強度及び発光時間の組み合わせを複数特定し、特定された複数の組み合わせの中で、所定条件に基づいて何れか一組の発光強度及び発光時間に設定して前記発光手段を発光させることを特徴とする請求項１〜３の何れか一項に記載の撮像装置。
【請求項５】
前記所定の発光量は、前記撮像手段により撮像される画像が適正な明るさとなるように規定された発光量を含むことを特徴とする請求項１〜４の何れか一項に記載の撮像装置。
【請求項６】
前記所定の発光量は、前記撮像手段による被写体の本撮像前に、所定の仮発光条件で前記発光手段を発光させつつ前記撮像手段により仮撮像された画像の明るさに基づいて、前記撮像手段により本撮像される画像が適正な明るさとなるように規定された発光量を含むことを特徴とする請求項５に記載の撮像装置。
【請求項７】
前記制御手段は、更に、
前記撮像手段による被写体の撮像の際に、前記発光手段の発光強度及び発光時間以外の露出条件を所定値に固定した状態で当該発光手段の発光強度及び発光時間の両方を制御することを特徴とする請求項５又は６に記載の撮像装置。
【請求項８】
前記所定値に固定される露出条件は、前記撮像手段により撮像される画像の信号増幅率を含むことを特徴とする請求項７に記載の撮像装置。
【請求項９】
前記撮像手段により静止画像を撮像しているか動画像を撮像しているかを判定する第２判定手段を更に備え、
前記制御手段は、前記第２判定手段により前記静止画像を撮像していると判定された場合に、前記共通露光期間と前記発光期間との関係が所定条件を満たし、且つ、前記所定の発光量を確保するように、前記発光手段の発光強度及び発光時間の両方を制御することを特徴とする請求項１〜８の何れか一項に記載の撮像装置。
【請求項１０】
撮像モードが自分撮りモードであるか否かを判定する第３判定手段を更に備え、
前記制御手段は、前記第３判定手段により前記自分撮りモードであると判定された場合に、前記撮像手段による被写体の撮像の際に、前記共通露光期間と前記発光期間との関係が所定条件を満たし、且つ、前記所定の発光量を確保するように、前記発光手段の発光強度及び発光時間の両方を制御することを特徴とする請求項１〜９の何れか一項に記載の撮像装置。
【請求項１１】
前記制御手段は、更に、前記発光手段の発光強度と発光時間との乗算により算出される発光量が前記所定の発光量となるように、前記発光手段の発光強度及び発光時間の両方を制御することを特徴とする請求項１〜１０の何れか一項に記載の撮像装置。
【請求項１２】
複数のラインの各々の露光タイミングが異なる撮像手段と、前記撮像手段の全てのラインで同時に露光が行われている最終ラインの露光開始タイミングから先頭ラインの露光終了タイミングまでの共通露光期間の内側に発光している発光期間が配されるような第１発光パターンと、前記撮像手段の先頭ラインの露光開始タイミングから最終ラインの露光終了タイミングまでの全露光期間の外側に発光している発光期間が配されるような第２発光パターンとを切替えて発光可能に構成され、且つ、発光強度及び発光時間の両方を調整可能な発光手段とを備える撮像装置を用いた撮像方法であって、
前記共通露光期間と、前記発光手段が発光している発光期間との関係が所定条件を満たし、且つ、所定の発光量を確保するように、前記発光手段の発光強度及び発光時間の両方を制御し、更に、前記第１発光パターン及び前記第２発光パターンのうち、前記第１発光パターンを優先的に選択して前記発光手段を発光させる処理、
を含むことを特徴とする撮像方法。
【請求項１３】
複数のラインの各々の露光タイミングが異なる撮像手段と、前記撮像手段の全てのラインで同時に露光が行われている最終ラインの露光開始タイミングから先頭ラインの露光終了タイミングまでの共通露光期間の内側に発光している発光期間が配されるような第１発光パターンと、前記撮像手段の先頭ラインの露光開始タイミングから最終ラインの露光終了タイミングまでの全露光期間の外側に発光している発光期間が配されるような第２発光パターンとを切替えて発光可能に構成され、且つ、発光強度及び発光時間の両方を調整可能な発光手段とを備える撮像装置が有するコンピュータを、
前記共通露光期間と、前記発光手段が発光している発光期間との関係が所定条件を満たし、且つ、所定の発光量を確保するように、前記発光手段の発光強度及び発光時間の両方を制御し、更に、前記第１発光パターン及び前記第２発光パターンのうち、前記第１発光パターンを優先的に選択して前記発光手段を発光させる制御手段、
として機能させることを特徴とするプログラム。
【発明の詳細な説明】
【技術分野】
【０００１】
本発明は、撮像装置、撮像方法及びプログラムに関する。
【背景技術】
【０００２】
従来、ライン毎に露光タイミングが異なる撮像素子（例えば、ＣＭＯＳ）と、発光時間の長さ（発光期間）を制御可能な発光手段（例えば、ＬＥＤ）を用いた撮像の際に、撮像素子の全てのラインでＬＥＤが発光している発光期間と重なる露光期間（露光期間とＬＥＤの発光期間とが重なる時間）が同じになるようにすることで、ライン毎の画像の明るさのムラを無くす技術が知られている（例えば、特許文献１参照）。
【０００３】
具体的には、上記の技術では、被写体の明るさ測定の結果により設定される露光時間の長さと、予め決められた発光手段の発光時間の長さとの比較結果に応じて、二つの発光パターンを切り替えている。
一の発光パターンでは、少なくとも一部のラインの露光が行われている先頭ラインの露光開始タイミングから最終ラインの露光終了タイミングまでの全露光期間に対して、発光手段の発光期間が外側に配されるようになっている。また、他の発光パターンでは、全てのラインで同時に露光が行われている最終ラインの露光開始タイミングから先頭ラインの露光終了タイミングまでの共通露光期間に対して、発光手段の発光期間が内側に配されるようになっている。
【先行技術文献】
【特許文献】
【０００４】
【特許文献１】特開２０１０−２６２２２４号公報
【発明の概要】
【発明が解決しようとする課題】
【０００５】
しかしながら、上記特許文献等の場合、発光手段の発光強度を固定して発光時間の長さを制御するようになっているものの、発光手段の発光量を被写体の明るさ測定の結果に応じて適正に設定できるとは限らないといった問題がある。
【０００６】
本発明は、このような問題に鑑みてなされたものであり、本発明の課題は、ライン毎の画像の明るさのムラをなくすことができるとともに、発光手段の発光量を被写体の明るさに応じて適正に設定することができる撮像装置、撮像方法及びプログラムを提供することである。
【課題を解決するための手段】
【０００７】
上記課題を解決するため、本発明に係る撮像装置は、
複数のラインの各々の露光タイミングが異なる撮像手段と、前記撮像手段の全てのラインで同時に露光が行われている最終ラインの露光開始タイミングから先頭ラインの露光終了タイミングまでの共通露光期間の内側に発光している発光期間が配されるような第１発光パターンと、前記撮像手段の先頭ラインの露光開始タイミングから最終ラインの露光終了タイミングまでの全露光期間の外側に発光している発光期間が配されるような第２発光パターンとを切替えて発光可能に構成され、且つ、発光強度及び発光時間の両方を調整可能な発光手段と、前記共通露光期間と、前記発光手段が発光している発光期間との関係が所定条件を満たし、且つ、所定の発光量を確保するように、前記発光手段の発光強度及び発光時間の両方を制御する制御手段と、を備え、更に、前記制御手段は、前記第１発光パターン及び前記第２発光パターンのうち、前記第１発光パターンを優先的に選択して前記発光手段を発光させることを特徴としている。
【０００８】
また、本発明に係る撮像方法は、
複数のラインの各々の露光タイミングが異なる撮像手段と、前記撮像手段の全てのラインで同時に露光が行われている最終ラインの露光開始タイミングから先頭ラインの露光終了タイミングまでの共通露光期間の内側に発光している発光期間が配されるような第１発光パターンと、前記撮像手段の先頭ラインの露光開始タイミングから最終ラインの露光終了タイミングまでの全露光期間の外側に発光している発光期間が配されるような第２発光パターンとを切替えて発光可能に構成され、且つ、発光強度及び発光時間の両方を調整可能な発光手段とを備える撮像装置を用いた撮像方法であって、前記共通露光期間と、前記発光手段が発光している発光期間との関係が所定条件を満たし、且つ、所定の発光量を確保するように、前記発光手段の発光強度及び発光時間の両方を制御し、更に、前記第１発光パターン及び前記第２発光パターンのうち、前記第１発光パターンを優先的に選択して前記発光手段を発光させる処理、を含むことを特徴としている。
【０００９】
また、本発明に係るプログラムは、
複数のラインの各々の露光タイミングが異なる撮像手段と、前記撮像手段の全てのラインで同時に露光が行われている最終ラインの露光開始タイミングから先頭ラインの露光終了タイミングまでの共通露光期間の内側に発光している発光期間が配されるような第１発光パターンと、前記撮像手段の先頭ラインの露光開始タイミングから最終ラインの露光終了タイミングまでの全露光期間の外側に発光している発光期間が配されるような第２発光パターンとを切替えて発光可能に構成され、且つ、発光強度及び発光時間の両方を調整可能な発光手段とを備える撮像装置が有するコンピュータを、前記共通露光期間と、前記発光手段が発光している発光期間との関係が所定条件を満たし、且つ、所定の発光量を確保するように、前記発光手段の発光強度及び発光時間の両方を制御し、更に、前記第１発光パターン及び前記第２発光パターンのうち、前記第１発光パターンを優先的に選択して前記発光手段を発光させる制御手段、として機能させることを特徴としている。
【発明の効果】
【００１０】
本発明によれば、ライン毎の画像の明るさのムラをなくすことができるとともに、発光手段の発光量を被写体の明るさに応じて適正に設定することができる。
【図面の簡単な説明】
【００１１】
【図１】本発明を適用した実施形態１の撮像装置の概略構成を示すブロック図である。
【図２】図１の撮像装置によるメイン処理に係る動作の一例を示すフローチャートである。
【図３】図２のメイン処理における静止画像撮像処理に係る動作の一例を示すフローチャートである。
【図４】図３の静止画像撮像処理における第１発光パターンを説明するための図である。
【図５】図３の静止画像撮像処理における第２発光パターンを説明するための図である。
【図６】本発明を適用した実施形態２の撮像装置の概略構成を示すブロック図である。
【図７】図６の撮像装置による静止画像撮像処理に係る動作の一例を示すフローチャートである。
【発明を実施するための形態】
【００１２】
以下に、本発明について、図面を用いて具体的な態様を説明する。ただし、発明の範囲は、図示例に限定されない。
【００１３】
［実施形態１］
図１は、本発明を適用した実施形態１の撮像装置１００の概略構成を示すブロック図である。
図１に示すように、実施形態１の撮像装置１００は、具体的には、中央制御部１と、メモリ２と、撮像部３と、発光部４と、撮像制御部５と、画像処理部６と、画像記録部７と、表示部８と、操作入力部９とを備えている。
また、中央制御部１、メモリ２、撮像部３、発光部４、撮像制御部５、画像処理部６、画像記録部７及び表示部８は、バスライン１０を介して接続されている。
【００１４】
中央制御部１は、撮像装置１００の各部を制御するものである。具体的には、中央制御部１は、図示は省略するが、ＣＰＵ（Central Processing Unit）等を備え、撮像装置１００用の各種処理プログラム（図示略）に従って各種の制御動作を行う。
【００１５】
メモリ２は、例えば、ＤＲＡＭ（Dynamic Random Access Memory）等により構成され、中央制御部１、撮像制御部５等によって処理されるデータ等を一時的に格納する。
【００１６】
撮像部３は、所定の被写体（例えば、ヒト等）を撮像してフレーム画像を生成する。具体的には、撮像部３は、レンズ部３ａと、電子撮像部３ｂとを備えている。
【００１７】
レンズ部３ａは、例えば、ズームレンズやフォーカスレンズ等の複数のレンズから構成されている。
電子撮像部３ｂは、複数の走査ラインの各々の露光タイミングが異なるローリングシャッタ方式のイメージセンサ（例えば、ＣＭＯＳ（Complementary Metal-Oxide Semiconductor）等）から構成されている。そして、電子撮像部３ｂは、レンズ部３ａの各種レンズを通過した光学像を二次元の画像信号に変換する。
具体的には、電子撮像部３ｂは、撮像制御部５の制御下にて、撮像領域を構成する水平方向の各走査ライン毎に所定時間ずつ露光タイミングをずらしながら露光が行われることで、フレーム画像の画像信号を生成する。すなわち、電子撮像部５ｂは、その撮像領域の垂直方向の一端（例えば、上端）から他端（例えば、下端）にかけて水平方向の各走査ライン毎に信号の読み出し（露光）が行われるため、水平方向の各走査ライン毎に所定時間ずつ露光タイミングのずれた複数のライン画像（アナログ信号）を生成する（図４及び図５参照）。
【００１８】
なお、撮像部３は、レンズ部３ａ及び電子撮像部３ｂに加えて、レンズ部３ａを通過する光の量を調整する絞り、ズームレンズを光軸方向に移動させるズーム駆動部、フォーカスレンズを光軸方向に移動させる合焦駆動部等（何れも図示略）を備えていても良い。
【００１９】
発光部４は、例えば、ＬＥＤ（Light Emitting Diode）等から構成されている。
すなわち、発光部４は、発光強度Lmain及び発光時間Wmainの両方を調整可能な発光手段を構成している。例えば、撮像モードが静止画像撮像モードの場合に、発光部４は、撮像制御部５の第１発光制御部５ｅ（後述）の制御下にて、発光強度Lmain及び発光時間Wmainがそれぞれ調整された第１発光パターン（図４参照）と第２発光パターン（図５参照）とを切り替えて発光する。なお、発光部４の発光強度Lmain及び発光時間Wmain（発光パターン）を制御する方法については後述する。
また、例えば、撮像モードが動画像撮像モードの場合に、発光部４は、動画像の撮像中にて、所定の発光強度で継続的に発光する。
【００２０】
撮像制御部５は、当該撮像装置１００による被写体の撮像動作を制御する。
即ち、撮像制御部５は、図示は省略するが、タイミング発生器、ドライバなどを備えている。そして、撮像制御部５は、タイミング発生器、ドライバにより撮像部３の電子撮像部３ｂを走査駆動して、レンズ部３ａを通過した光学像を電子撮像部３ｂにより所定周期毎に二次元の画像信号に変換させ、当該電子撮像部３ｂの撮像領域から各走査ライン毎にライン画像を読み出して画像処理部６に出力させる。このとき、撮像制御部５は、必要に応じて発光部４の発光強度Lmain及び発光時間Wmainを制御して発光させる。
また、撮像制御部５は、ＡＦ（自動合焦処理）、ＡＥ（自動露出処理）、ＡＷＢ（自動ホワイトバランス）等の被写体を撮像する際の条件の調整制御を行う。
【００２１】
具体的には、撮像制御部５は、本発光量算出部５ａと、発光時間算出部５ｂと、パターン判定部５ｃと、撮像形式判定部５ｄと、第１発光制御部５ｅとを具備している。
なお、撮像制御部５の各部は、例えば、所定のロジック回路から構成されているが、当該構成は一例であってこれに限られるものではない。
【００２２】
本発光量算出部５ａは、撮像部３による被写体の本撮像の際の発光部４の発光量（本発光量）を算出する。
すなわち、本発光量算出部５ａは、撮像部３により撮像される本画像（記録用画像）が適正な明るさ（輝度値）となるように規定された本発光量（所定の発光量）を算出する。具体的には、本発光量算出部５ａは、撮像部３による被写体の本撮像前に、所定の仮発光条件（例えば、仮発光強度Lpre及び仮発光時間Wpre等）で発光部４を発光させつつ撮像部３により仮撮像されたプリ発光画像の明るさに基づいて、撮像部３により本撮像される本画像が適正な明るさとなるように規定された本発光量FlashBaseを算出する。ここで、本発光量算出部５ａは、撮像部３による被写体の本撮像前に、発光部４を発光させることなく撮像部３により撮像されたLED無発光画像（例えば、ライブビュー画像等）の明るさも利用して、本発光量FlashBaseを算出しても良い。
【００２３】
例えば、本発光量算出部５ａは、撮像部３により撮像されて画像処理部６により生成されたプリ発光画像の画像データの輝度値Vpre及びLED無発光画像の画像データの輝度値Vnonを取得する。また、本発光量算出部５ａは、撮像制御部５により予め固定値として設定されているプリ発光画像の撮像の際の発光部４の仮発光強度（例えば、最大発光強度Lmaxの４０％程度等）Lpre及び仮発光時間（例えば、１０ｍｓ程度等）Wpreを取得する。また、本発光量算出部５ａは、撮像制御部５によりLED無発光画像の画像データの輝度値Vnon等からプログラム線図に基づいて特定されるプリ発光画像の画像データの信号増幅率Gpreを取得する。また、本発光量算出部５ａは、LED無発光画像の画像データの輝度値Vnonに基づいて所定の測光方式（例えば、中央重点測光方式等）に従って算出される被写体の明るさ及びLED無発光画像の撮像の際の露出条件等に基づいて、本画像の画像データの目標輝度値Vtargetを推定する。
そして、本発光量算出部５ａは、本画像の画像データの目標輝度値Vtarget、プリ発光画像の画像データの輝度値Vpre、LED無発光画像の画像データの輝度値Vnon、プリ発光画像に係る発光部４の仮発光強度Lpre及び仮発光時間Wpre、プリ発光画像の画像データの信号増幅率Gpreに基づいて、本発光量FlashBaseを下記式（１）に従って算出する。
【数１】
0006515469.tif 000002
【００２４】
なお、上記した本発光量FlashBaseを算出する手法は、一例であってこれに限られるものではなく、適宜任意に変更可能である。また、プリ発光画像の画像データの信号増幅率Gpreと、後述する本画像の画像データの信号増幅率Gmainとは、略等しくなるように設定されても良い。
【００２５】
発光時間算出部５ｂは、発光部４を最大発光強度Lmaxで発光すると想定した場合に必要な発光時間を算出する。
すなわち、発光時間算出部（算出手段）５ｂは、発光部４の発光強度Lmainを最大にして、撮像部３により撮像された本画像が適正な明るさとなるような本発光量（所定の発光量）FlashBaseを確保するために継続して当該発光部４を発光する発光時間（基準発光時間Wstandard）を算出する。
具体的には、例えば、発光時間算出部５ｂは、本発光量算出部５ａにより算出された本発光量FlashBaseを取得する。また、発光時間算出部５ｂは、撮像制御部５によりLED無発光画像の画像データの輝度値Vnon等からプログラム線図に基づいて特定される本画像の画像データの信号増幅率Gmainを取得する。
そして、発光時間算出部５ｂは、本発光量FlashBase、本画像の画像データの信号増幅率Gmain、発光部４の最大発光強度Lmaxに基づいて、基準発光時間Wstandardを下記式（２）に従って算出する。
【数２】
0006515469.tif 000003
【００２６】
なお、上記した基準発光時間Wstandardを算出する手法は、一例であってこれに限られるものではなく、適宜任意に変更可能である。
【００２７】
パターン判定部５ｃは、発光部４を第１発光パターンで発光させた場合に本発光量FlashBaseを確保することができるか否かを判定する。
ここで、発光部４の発光パターンとしては、電子撮像部３ｂの全ての走査ラインで同時に露光が行われている最終ライン（例えば、下端の走査ライン等）の露光開始タイミングから先頭ラインの露光終了タイミング（例えば、上端の走査ライン等）までの共通露光期間W_lastlineの内側に発光部４の発光期間（発光時間Wmain）が配されるような第１発光パターンと、少なくとも一部の走査ラインの露光が行われている電子撮像部３ｂの先頭ラインの露光開始タイミングから最終ラインの露光終了タイミングまでの全露光期間W_firstlineの外側に発光部４の発光期間（発光時間Wmain）が配されるような第２発光パターンとが挙げられる。なお、ここで言う電子撮像部３ｂの全ての走査ラインとは、画像生成に用いられる有効画素領域の走査ラインであって、例えば、ノイズ除去処理のために設けられたオプティカルブラック領域の走査ラインのように、直接的に画像生成に用いられない走査ラインは除くものとする。
また、第１発光パターンにあっては、共通露光期間W_lastlineと発光部４の発光期間とが同じ長さで一致した状態を含む。また、第２発光パターンにあっては、全露光期間W_firstlineと発光部４の発光期間とが同じ長さで一致した状態を含む。
【００２８】
そして、パターン判定部（第１判定手段）５ｃは、第１発光パターンにおける発光部４の発光期間の条件を満たし、且つ、本発光量FlashBaseを確保するように発光部４の発光強度Lmain及び発光時間Wmainを設定可能か否かを判定する。すなわち、パターン判定部５ｃは、発光時間算出部５ｂにより算出された発光部４を最大発光強度Lmaxで発光すると想定した場合に必要な基準発光時間Wstandardが第１発光パターンにおける発光部４の発光期間の条件を満たすか否かを判定する。
例えば、パターン判定部５ｃは、発光時間算出部５ｂにより算出された基準発光時間Wstandardを取得する。また、パターン判定部５ｃは、撮像制御部５により本画像の画像データの目標輝度値Vtarget等からプログラム線図に基づいて特定される本画像の撮像の際の電子撮像部３ｂの露光時間（シャッタースピード）Tmainから電子撮像部３ｂの垂直同期時間を減算して共通露光期間W_lastlineを取得する。
そして、パターン判定部５ｃは、基準発光時間Wstandardの長さが共通露光期間W_lastline以下であるか否かに応じて、発光部４を第１発光パターンで発光させた場合に本発光量FlashBaseを確保することができるか否かを判定する。
なお、上記した判定の手法は、一例であってこれに限られるものではなく、適宜任意に変更可能である。
【００２９】
撮像形式判定部５ｄは、被写体の撮像形式が静止画像であるか動画像であるかを判定する。
すなわち、撮像形式判定部（第２判定手段）５ｄは、撮像部３により静止画像を撮像しているか動画像を撮像しているかを判定する。具体的には、撮像形式判定部５ｄは、例えば、ユーザによる操作入力部９の所定操作に基づいて指定された撮像モード（例えば、静止画像撮像モードや動画像撮像モード等）に応じて、撮像部３により静止画像を撮像しているか動画像を撮像しているかを判定する。
【００３０】
第１発光制御部５ｅは、発光部４の発光強度Lmain及び発光時間Wmainの両方を制御する。
ここで、発光部４のＬＥＤの発光強度Lmainを制御する方法としては、例えば、ＰＷＭ（Pulse Width Modulation）方式や抵抗値を切り替えて通電量を変化させるアナログ方式等が挙げられる。
【００３１】
そして、第１発光制御部（制御手段）５ｅは、撮像部３による被写体の撮像の際に、電子撮像部３ｂの全ての走査ラインで同時に露光が行われている共通露光期間W_lastlineと、発光部４が発光している発光期間との関係が所定条件を満たし、且つ、本発光量FlashBaseを確保するように、発光部４の発光強度Lmain及び発光時間Wmainの両方を制御する。具体的には、撮像形式判定部５ｄにより静止画像を撮像していると判定された場合に、第１発光制御部５ｅは、共通露光期間W_lastlineと発光部４の発光期間との関係が所定条件を満たし、且つ、本発光量FlashBaseを確保するように、発光部４の発光強度Lmain及び発光時間Wmainの両方を制御する。
【００３２】
また、第１発光制御部５ｅは、第１発光パターン（図４参照）及び第２発光パターン（図５参照）のうち、何れか一の発光パターンを選択して発光部４を発光させる場合に、選択された何れか一の発光パターンにおける発光部４の発光期間の条件を満たし、且つ、本発光量FlashBaseを確保するように、発光部４の発光強度Lmain及び発光時間Wmainの両方を制御する。
このとき、第１発光制御部５ｅは、第１発光パターン及び第２発光パターンのうち、第１発光パターンを優先的に選択して発光部４を発光させるようにしても良い。具体的には、パターン判定部５ｃにより、第１発光パターンにおける発光部４の発光期間の条件を満たし、且つ、本発光量FlashBaseを確保するように発光部４の発光強度Lmain及び発光時間Wmainを設定可能であると判定された場合に、第１発光制御部５ｅは、第１発光パターン及び第２発光パターンのうち、第１発光パターンを選択して発光部４を発光させる。すなわち、パターン判定部５ｃにより発光部４を最大発光強度Lmaxで発光すると想定した場合に必要な基準発光時間Wstandardが第１発光パターンにおける発光部４の発光期間の条件を満たすと判定された場合に、具体的には、基準発光時間Wstandardの長さが共通露光期間W_lastline以下であると判定された場合に、第１発光制御部５ｅは、発光部４の発光強度Lmainを最大発光強度Lmax、且つ、発光時間Wmainを基準発光時間Wstandardに設定して発光部４を発光させる。
【００３３】
その一方で、パターン判定部５ｃにより基準発光時間Wstandardの長さが共通露光期間W_lastline以下でないと判定された場合には、第１発光制御部５ｅは、第２発光パターンにおける発光部４の発光期間の条件を満たし、且つ、本発光量FlashBaseを確保するように、発光部４の発光強度Lmain及び発光時間Wmainの両方を制御する。具体的には、第１発光制御部５ｅは、本発光量算出部５ａにより算出された本発光量FlashBaseを取得する。また、第１発光制御部５ｅは、撮像制御部５により特定された本画像の画像データの信号増幅率Gmain及び本画像の撮像の際の電子撮像部３ｂの露光時間Tmainを取得する。
そして、第１発光制御部５ｅは、本発光量FlashBase、本画像の画像データの信号増幅率Gmain、本画像の撮像の際の電子撮像部３ｂの露光時間Tmainに基づいて、発光部４の発光強度Lmainを下記式（３）に従って算出する。
【数３】
0006515469.tif 000004
また、第１発光制御部５ｅは、発光部４の発光時間Wmainを電子撮像部３ｂの少なくとも一部の走査ラインの露光が行われている全露光期間W_firstlineに設定する。ここで、第１発光制御部５ｅは、発光部４の発光時間Wmainを全露光期間W_firstlineよりも長くなるように設定しても良い。
【００３４】
なお、上記した発光部４の発光強度Lmainを算出する手法は、一例であってこれに限られるものではなく、適宜任意に変更可能である。
【００３５】
このように、第１発光制御部５ｅは、第１発光パターン及び第２発光パターンのうち、何れの発光パターンを選択して発光部４を発光させる場合にも、本画像の画像データの信号増幅率Gmain等の発光部４の発光強度Lmain及び発光時間Wmain以外の露出条件を所定値に固定した状態で、共通露光期間W_lastlineと発光部４の発光期間との関係が所定条件を満たし、且つ、本発光量FlashBaseを確保するように、発光部４の発光強度Lmain及び発光時間Wmainの両方を制御するようになっている。
また、第１発光制御部５ｅは、第１発光パターン及び第２発光パターンのうち、何れの発光パターンを選択して発光部４を発光させる場合にも、発光部４の発光強度Lmainと発光時間Wmainとの乗算により算出される発光量が互いに等しい本発光量FlashBaseとなるように、発光部４の発光強度Lmain及び発光時間Wmainの両方を制御するようになっている。
【００３６】
画像処理部６は、電子撮像部３ｂから転送された各ライン画像のアナログ値の信号に対して各種の画像信号処理を施す。
具体的には、画像処理部６は、例えば、各ライン画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。そして、画像処理部６は、複数のライン画像を同期させて電子撮像部３ｂの撮像領域の一画面分に相当するフレーム画像の画像データ（ＹＵＶデータ）を生成する。
また、カラープロセス回路から出力される輝度信号Ｙ及び色差信号Ｃｂ，Ｃｒは、図示しないＤＭＡコントローラを介して、バッファメモリとして使用されるメモリ２にＤＭＡ転送される。
【００３７】
画像記録部７は、例えば、不揮発性メモリ（フラッシュメモリ）等により構成され、画像処理部６の符号化部（図示略）により所定の圧縮形式（例えば、ＪＰＥＧ形式、ＭＰＥＧ形式等）で符号化された静止画像や動画像の記録用の画像データを記録する。
なお、画像記録部７は、例えば、記録媒体（図示略）が着脱自在に構成され、装着された記録媒体からのデータの読み出しや記録媒体に対するデータの書き込みを制御する構成であっても良い。
【００３８】
表示部８は、表示パネル８ａと、表示制御部８ｂとを具備している。
表示パネル８ａは、表示画面内に画像を表示する。なお、表示パネル８ａとしては、例えば、液晶表示パネルや有機ＥＬ（Electro-Luminescence）表示パネルなどが挙げられるが、一例であってこれらに限られるものではない。
【００３９】
表示制御部８ｂは、メモリ２に一時的に格納されている表示用の画像データを読み出して、画像処理部６により復号された所定サイズの画像データに基づいて、所定の画像を表示パネル８ａの表示画面に表示させる制御を行う。具体的には、表示制御部８ｂは、ＶＲＡＭ（Video Random Access Memory）、ＶＲＡＭコントローラ、デジタルビデオエンコーダなど（何れも図示略）を備えている。そして、デジタルビデオエンコーダは、画像処理部６により復号されてＶＲＡＭに記録されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示パネル８ａに出力する。
【００４０】
操作入力部９は、当該撮像装置１００の所定操作を行うためのものである。具体的には、操作入力部９は、被写体の静止画像の撮像指示や動画像の録画開始指示及び録画終了指示に係るシャッタボタン、撮像モードや機能等の選択指示に係る選択決定ボタン、ズーム量の調整指示に係るズームボタン等（何れも図示略）の操作部を備え、当該操作部の各ボタンの操作に応じて所定の操作信号を中央制御部１に出力する。
【００４１】
＜メイン処理＞
次に、撮像装置１００によるメイン処理について、図２〜図５を参照して説明する。
図２は、メイン処理に係る動作の一例を示すフローチャートである。
【００４２】
図２に示すように、先ず、中央制御部１のＣＰＵは、例えば、動画像撮像モードや静止画像撮像モード等の撮像モードが設定されているか否かを判定する（ステップＳ１）。
ここで、撮像モードが設定されていると判定されると（ステップＳ１；ＹＥＳ）、撮像部３は、被写体のライブビュー画像を撮像する処理を開始して、表示部８は、画像処理部６により生成された表示用の画像データに基づいて、ライブビュー画像を表示パネル８ａに表示する（ステップＳ２）。
【００４３】
次に、撮像制御部５の撮像形式判定部５ｄは、撮像モードとして静止画像撮像モードが設定されているか否かを判定する（ステップＳ３）。
ここで、撮像モードとして静止画像撮像モードが設定されていると判定されると（ステップＳ３；ＹＥＳ）、中央制御部１のＣＰＵは、静止画像撮像処理（図３参照）を実行する（ステップＳ４；詳細後述）。一方、撮像モードとして静止画像撮像モードが設定されていないと判定されると（ステップＳ３；ＮＯ）、中央制御部１のＣＰＵは、ユーザによる操作入力部９の所定操作に基づいて動画像を録画する動画像撮像処理を実行する（ステップＳ５）。
【００４４】
なお、ステップＳ２におけるライブビュー画像の表示後に、中央制御部１のＣＰＵは、発光部４のＬＥＤを常時点灯させる常時点灯モードが設定されているか否かを判定しても良い。そして、常時点灯モードが設定されていると判定された場合には、第１発光制御部５ｅは、発光部４のＬＥＤの発光強度Lmainをライブビュー画像の撮像に適した輝度のライブビュー用発光強度に設定してＬＥＤを継続的に発光させ、一方で、常時点灯モードが設定されていないと判定された場合には、第１発光制御部５ｅは、既に発光部４のＬＥＤが発光している状態であれば消灯させ、また、発光部４のＬＥＤが消灯している状態であればこの状態を維持させるようにしても良い。
【００４５】
その後、中央制御部１のＣＰＵは、処理をステップＳ３に戻し、それ以降の各処理を逐次繰り返し実行する。
なお、ステップＳ１にて、撮像モードが設定されていないと判定されると（ステップＳ１；ＮＯ）、中央制御部１のＣＰＵは、例えば、再生処理等のその他の各種処理の実行を制御する（ステップＳ６）。
【００４６】
＜静止画像撮像処理＞
次に、撮像装置１００による静止画像撮像処理について、図３を参照して説明する。
図３は、静止画像撮像処理に係る動作の一例を示すフローチャートである。
【００４７】
図３に示すように、先ず、中央制御部１のＣＰＵは、ユーザによる操作入力部９の所定操作に基づいて静止画像の撮像指示が入力されたか否かを判定する（ステップＳ１１）。
ここで、撮像指示が入力されていないと判定されると（ステップＳ１１；ＮＯ）、中央制御部１のＣＰＵは、撮像指示が入力されたか否かを判定する処理を所定の時間間隔で繰り返し実行する。
【００４８】
一方、ステップＳ１１にて、撮像指示が入力されたと判定されると（ステップＳ１１；ＹＥＳ）、撮像制御部５は、発光部４のＬＥＤが発光していない状態で撮像部３により撮像されて画像処理部６により生成された直近のライブビュー画像の画像データの輝度値をLED無発光画像の画像データの輝度値Vnonとして取得し、所定の測光方式（例えば、中央重点測光方式等）に従って被写体の明るさを測定する（ステップＳ１２）。
このとき、撮像制御部３は、例えば、画像処理部６による直近のフレーム画像（例えば、ライブビュー画像）の画像データに対する顔検出処理の結果を利用して、顔領域の明るさを被写体の明るさとして測定しても良い。
なお、顔検出処理は、公知の技術であるので、ここでは詳細な説明を省略する。
【００４９】
次に、撮像制御部５は、所定の仮発光条件（例えば、仮発光強度Lpre及び仮発光時間Wpre等）で発光部４を発光させて撮像部３により被写体の仮撮像を行わせ、画像処理部６は、仮撮像された被写体のプリ発光画像の画像データを生成する（ステップＳ１３）。
続けて、撮像制御部５の本発光量算出部５ａは、仮撮像された被写体のプリ発光画像の明るさに基づいて、撮像部３により本撮像される本画像が適正な明るさとなるように規定された本発光量FlashBaseを算出する（ステップＳ１４）。具体的には、本発光量算出部５ａは、本画像の画像データの目標輝度値Vtarget、プリ発光画像の画像データの輝度値Vpre、LED無発光画像の画像データの輝度値Vnon、プリ発光画像に係る発光部４の仮発光強度Lpre及び仮発光時間Wpre、プリ発光画像の画像データの信号増幅率Gpreに基づいて、本発光量FlashBaseを下記式（１）に従って算出する。
【数４】
0006515469.tif 000005
【００５０】
その後、撮像制御部５の発光時間算出部５ｂは、発光部４を最大発光強度Lmaxで発光すると想定した場合に必要な基準発光時間Wstandardを算出する（ステップＳ１５）。具体的には、発光時間算出部５ｂは、本発光量FlashBase、本画像の画像データの信号増幅率Gmain、発光部４の最大発光強度Lmaxに基づいて、基準発光時間Wstandardを下記式（２）に従って算出する。
【数５】
0006515469.tif 000006
【００５１】
次に、撮像制御部５のパターン判定部５ｃは、本画像の画像データの目標輝度値Vtarget等からプログラム線図に基づいて特定される本画像の撮像の際の電子撮像部３ｂの露光時間Tmainから電子撮像部３ｂの垂直同期時間を減算して共通露光期間W_lastlineを算出する（ステップＳ１６）。続けて、パターン判定部５ｃは、基準発光時間Wstandardの長さが共通露光期間W_lastline以下であるか否かを判定する（ステップＳ１７）。
【００５２】
ステップＳ１７にて、基準発光時間Wstandardの長さが共通露光期間W_lastline以下であると判定されると（ステップＳ１７；ＹＥＳ）、第１発光制御部５ｅは、第１発光パターンで発光部４を発光させるために、当該発光部４の発光強度Lmainを最大発光強度Lmaxに、且つ、発光時間Wmainを基準発光時間Wstandardに設定する（ステップＳ１８；図４参照）。
一方、基準発光時間Wstandardの長さが共通露光期間W_lastline以下でないと判定されると（ステップＳ１７；ＮＯ）、第１発光制御部５ｅは、本画像の撮像の際の電子撮像部３ｂの露光時間Tmainに基づいて、発光部４の発光強度Lmainを算出する（ステップＳ１９）。具体的には、第１発光制御部５ｅは、本発光量FlashBase、本画像の画像データの信号増幅率Gmain、本画像の撮像の際の電子撮像部３ｂの露光時間Tmainに基づいて、発光部４の発光強度Lmainを下記式（３）に従って算出する。
【数６】
0006515469.tif 000007
続けて、第１発光制御部５ｅは、第２発光パターンで発光部４を発光させるために、当該発光部４の発光強度Lmainを算出された発光強度Lmainに、且つ、発光時間Wmainを電子撮像部３ｂの少なくとも一部の走査ラインの露光が行われている全露光期間W_firstlineに設定する（ステップＳ２０；図５参照）。
【００５３】
その後、撮像制御部５は、例えば、絞り値やシャッタースピードや画像の信号増幅率等の各種の露出条件を調整して、第１発光制御部５ｅにより設定された発光強度Lmain及び発光時間Wmainで発光部４を発光させて撮像部３により被写体の本撮像を行わせる（ステップＳ２１）。
具体的には、第１発光パターンで発光部４を発光させる場合、第１発光制御部５ｅは、所定のタイミング（例えば、電子撮像部３ｂの最終ラインの露光開始タイミング等）で発光部４のＬＥＤを最大発光強度Lmax、且つ、基準発光時間Wstandardで発光させるとともに、撮像制御部５は、調整された露出条件で撮像部３により被写体の本撮像を行わせる。また、第２発光パターンで発光部４を発光させる場合、第１発光制御部５ｅは、所定のタイミング（例えば、電子撮像部３ｂの先頭ラインの露光開始タイミング等）で発光部４のＬＥＤを発光強度Lmain、且つ、全露光期間W_firstlineで発光させるとともに、撮像制御部５は、調整された露出条件で撮像部３により被写体の本撮像を行わせる。
【００５４】
そして、画像処理部６は、本撮像された被写体の静止画像の画像データを生成し、所定の記録手段（例えば、メモリ２や画像記録部７等）に転送して記録させる（ステップＳ２２）。
これにより、静止画像撮像処理を終了する。
【００５５】
以上のように、実施形態１の撮像装置１００によれば、複数の走査ラインの各々の露光タイミングが異なる電子撮像部３ｂによる被写体の撮像の際に、当該電子撮像部３ｂの全ての走査ラインで同時に露光が行われている最終ラインの露光開始タイミングから先頭ラインの露光終了タイミングまでの共通露光期間W_lastlineと、発光部４の発光期間との関係が所定条件を満たし、且つ、発光部４の発光量として本発光量FlashBase（例えば、撮像部３により撮像される画像が適正な明るさとなるように規定された発光量等）を確保するように、発光部４の発光強度Lmain及び発光時間Wmainの両方を制御するので、電子撮像部３ｂ（例えば、ＣＭＯＳ）の特性によって発光部４（例えば、ＬＥＤ）の発光時間に制限が存する場合であっても、発光部４の発光強度Lmain及び発光時間Wmainを制御して当該発光部４の発光量を十分に確保することができる。これにより、適正露出を確保するために、例えば、発光部４の発光量を犠牲にして画像の信号増幅率（ゲイン）などの他の露出条件の調整が必要なくなり、発光部４の発光強度Lmain及び発光時間Wmain以外の露出条件を所定値に固定することができることとなって、ゲインの増加等による画質の低下が生じることを抑制することができる。特に、静止画像を撮像している場合に、共通露光期間W_lastlineと発光部４の発光期間との関係が所定条件を満たし、且つ、発光部４の発光量として本発光量FlashBaseを確保するように、発光部４の発光強度Lmain及び発光時間Wmainの両方を制御することで、静止画像を撮像する際の発光部４の発光量を十分に確保することができる。
したがって、走査ライン毎のライン画像の明るさのムラをなくすことができるとともに、発光部４の発光量を被写体の明るさに応じて適正に設定することができる。
【００５６】
また、共通露光期間W_lastlineの内側に発光部４の発光期間が配されるような第１発光パターンと、電子撮像部３ｂの先頭ラインの露光開始タイミングから最終ラインの露光終了タイミングまでの全露光期間W_firstlineの外側に発光部４の発光期間が配されるような第２発光パターンのうち、何れか一の発光パターンを選択して発光部４を発光させる場合に、選択された何れか一の発光パターンにおける発光期間の条件を満たし、且つ、所定の発光量を確保するように、発光部４の発光強度Lmain及び発光時間Wmainの両方を制御するので、電子撮像部３ｂの特性によって発光部４の発光時間に制限が存する場合であっても、発光部４の発光量として本発光量FlashBaseを確保する上での発光部４の発光強度Lmain及び発光時間Wmain等の発光条件の設定の自由度を増加させることができる。
このとき、第１発光パターン及び第２発光パターンのうち、第１発光パターンを優先的に選択して発光部４を発光させることができる。具体的には、第１発光パターンにおける発光部４の発光期間の条件を満たし、且つ、発光部４の発光量として本発光量FlashBaseを確保するように発光部４の発光強度Lmain及び発光時間Wmainを設定可能であると判定された場合に、第１発光パターン及び第２発光パターンのうち、第１発光パターンを選択して発光部４を発光させることができる。すなわち、発光部４の発光強度Lmainを最大にして本発光量FlashBaseを確保するために継続して当該発光部４を発光する基準発光時間Wstandardが第１発光パターンにおける発光部４の発光期間の条件を満たすと判定された場合に、発光部４の発光強度Lmainを最大、且つ、発光時間Wmainを基準発光時間Wstandardに設定して発光部４を発光させることができる。
これにより、発光部４の発光量として本発光量FlashBaseを確保するために、発光強度Lmainを下げて発光時間Wmainを長くする第２発光パターンよりも発光強度Lmainを上げて発光時間Wmainを短くする第１発光パターンを優先させることができ、発光強度Lmainを下げることによる通電量の減少や個体差等に起因して発光部４の発光状態が不安定になることを回避することができることとなって、撮像される画像の画質の安定化を図ることができる。また、発光部４の発光期間内で露光されていない走査ラインがなくなるので、発光部４を発光させるための電力の利用効率を向上させることができる。さらに、発光部４の発光量が同じであっても発光時間Wmainがより短くなるので、被写体としてのヒトが感じる発光部４の発光の眩しさを抑制することができる。
【００５７】
また、発光部４の所定の発光量（本発光量FlashBase）は、撮像部３による被写体の本撮像前に、所定の仮発光条件で発光部４を発光させつつ撮像部３により仮撮像されたプリ発光画像の明るさに基づいて、撮像部３により本撮像される画像が適正な明るさとなるように規定された発光量を含むので、発光部４の発光量を被写体の明るさに応じて適正に設定することができる。
さらに、発光部４の発光強度Lmainと発光時間Wmainとの乗算により算出される発光量が所定の発光量（本発光量FlashBase）となるように、発光部４の発光強度Lmain及び発光時間Wmainの両方を制御するので、被写体を撮像する際の発光部４の発光量を十分に確保することができる。
【００５８】
［実施形態２］
図６は、本発明を適用した実施形態２の撮像装置２００の概略構成を示すブロック図である。
図６に示すように、実施形態２の撮像装置２００は、撮像制御部２０５の構成が異なる以外の点は、上記実施形態１の撮像装置１００と略同様であり、具体的な説明は省略する。
【００５９】
撮像制御部２０５は、本発光量算出部５ａと、発光時間算出部５ｂと、パターン判定部５ｃと、撮像形式判定部５ｄと、モード判定部５ｆと、第２発光制御部５ｇとを具備している。
なお、本発光量算出部５ａ、発光時間算出部５ｂ、パターン判定部５ｃ及び撮像形式判定部５ｄの構成及び機能は、上記実施形態１の撮像装置１００と略同様であり、具体的な説明は省略する。
【００６０】
モード判定部（第３判定手段）５ｆは、撮像モードが自分撮りモードであるか否かを判定する。
具体的には、モード判定部５ｆは、例えば、ユーザによる操作入力部９の所定操作に基づいて撮像モードとして自分撮りモードが指定されているか否かを判定する。また、例えば、表示部８の表示パネル８ａがレンズ部３ａの露出面と同じ側となるように回動自在に構成されている場合には、モード判定部５ｆは、表示パネル８ａの回動位置に応じて撮像モードが自分撮りモードであるか否かを判定する。
なお、上記した自分撮りモードであるか否かを判定する方法は、一例であってこれらに限られるものではなく、適宜任意に変更可能である。
【００６１】
第２発光制御部５ｇは、実施形態１の撮像装置１００の第１発光制御部５ｅと同様に、発光部４の発光強度Lmain及び発光時間Wmainの両方を制御する。
すなわち、モード判定部５ｆにより自分撮りモードであると判定された場合に、第２発光制御部（制御手段）５ｇは、撮像部３による被写体の撮像の際に、共通露光期間W_lastlineと発光部４の発光期間との関係が所定条件を満たし、且つ、本発光量FlashBaseを確保するように、発光部４の発光強度Lmain及び発光時間Wmainの両方を制御する。
なお、第２発光制御部５ｇによる発光部４の発光強度Lmain及び発光時間Wmainの制御内容は、上記実施形態１の第１発光制御部５ｅによる制御内容と略同様であり、ここでは詳細な説明は省略する。
【００６２】
＜静止画像撮像処理＞
次に、撮像装置２００による静止画像撮像処理について、図７を参照して説明する。
図７は、静止画像撮像処理に係る動作の一例を示すフローチャートである。
【００６３】
なお、撮像装置２００による静止画像撮像処理は、上記実施形態１の撮像装置１００と同様に、メイン処理にて行われる処理である。また、メイン処理自体は、上記実施形態１の撮像装置１００と略同様であり、その詳細な説明は省略する。
【００６４】
図７に示すように、先ず、上記実施形態１の静止画像撮像処理と略同様に、中央制御部１のＣＰＵは、ユーザによる操作入力部９の所定操作に基づいて静止画像の撮像指示が入力されたか否かを判定する（ステップＳ１１）。
ここで、撮像指示が入力されたと判定されると（ステップＳ１１；ＹＥＳ）、上記実施形態１の静止画像撮像処理と略同様に、撮像制御部２０５は、LED無発光画像の画像データの輝度値Vnonを取得し、所定の測光方式（例えば、中央重点測光方式等）に従って被写体の明るさを測定する（ステップＳ１２）。
【００６５】
次に、上記実施形態１の静止画像撮像処理と略同様に、撮像制御部２０５は、所定の仮発光条件（例えば、仮発光強度Lpre及び仮発光時間Wpre等）で発光部４を発光させて撮像部３により被写体の仮撮像を行わせ、画像処理部６は、仮撮像された被写体のプリ発光画像の画像データを生成する（ステップＳ１３）。
その後、撮像制御部２０５のモード判定部５ｆは、撮像モードが自分撮りモードであるか否かを判定する（ステップＳ３１）。具体的には、モード判定部５ｆは、例えば、ユーザによる操作入力部９の所定操作に基づいて撮像モードとして自分撮りモードが指定されているか否かを判定する。
【００６６】
ステップＳ３１にて、撮像モードが自分撮りモードであると判定されると（ステップＳ３１；ＹＥＳ）、中央制御部１のＣＰＵは、処理をステップＳ１４に移行して、それ以降の各処理を実行させる。
ステップＳ１４以降の各処理は、上記実施形態１の静止画像撮像処理と略同様である。具体的には、ステップＳ１７における基準発光時間Wstandardの長さが共通露光期間W_lastline以下であるか否かの判定結果に応じて、第２発光制御部５ｇは、第１発光パターンで発光部４を発光させるための発光条件として最大発光強度Lmax、且つ、基準発光時間Wstandardを設定するか（ステップＳ１８）、或いは、第２発光パターンで発光部４を発光させるための発光部４の発光条件として発光強度Lmain、且つ、全露光期間W_firstlineを設定する（ステップＳ２０）。
【００６７】
一方、ステップＳ３１にて、撮像モードが自分撮りモードでないと判定されると（ステップＳ３１；ＮＯ）、第２発光制御部５ｇは、被写体の明るさに応じて最適な輝度の最適発光強度及び最適発光時間を設定する（ステップＳ３２）。
その後、中央制御部１のＣＰＵは、処理をステップＳ２１に移行して、撮像制御部２０５は、例えば、絞り値やシャッタースピードや画像の信号増幅率等の各種の露出条件を調整して、第２発光制御部５ｇにより設定された発光強度Lmain及び発光時間Wmainで発光部４を発光させて撮像部３により被写体の本撮像を行わせる（ステップＳ２１）。
【００６８】
そして、上記実施形態１の静止画像撮像処理と略同様に、画像処理部６は、本撮像された被写体の静止画像の画像データを生成し、所定の記録手段（例えば、メモリ２や画像記録部７等）に転送して記録させる（ステップＳ２２）。
これにより、静止画像撮像処理を終了する。
【００６９】
以上のように、実施形態２の撮像装置２００によれば、上記実施形態１の撮像装置１００と略同様に、電子撮像部３ｂの特性によって発光部４の発光時間に制限が存する場合であっても、発光部４の発光強度Lmain及び発光時間Wmainを制御して当該発光部４の発光量を十分に確保することができ、走査ライン毎のライン画像の明るさのムラをなくすことができるとともに、発光部４の発光量を被写体の明るさに応じて適正に設定することができる。
特に、自分撮りモードであると判定された場合に、共通露光期間W_lastlineと発光部４の発光期間との関係が所定条件を満たし、且つ、発光部４の発光量として本発光量FlashBaseを確保するように、発光部４の発光強度Lmain及び発光時間Wmainの両方を制御することで、被写体を撮像する際の発光部４の発光量を十分に確保することができるだけでなく、被写体としてのユーザ自身が感じる発光部４の発光の眩しさを低減させるような発光態様で発光部４を発光させることができる。
【００７０】
なお、本発明は、上記実施形態１、２に限定されることなく、本発明の趣旨を逸脱しない範囲において、種々の改良並びに設計の変更を行っても良い。
例えば、上記実施形態１、２にあっては、第１発光制御部５ｅ、第２発光制御部５ｇは、第１発光パターン及び第２発光パターンのうち、選択された何れか一の発光パターンにおける発光部４の発光期間の条件を満たし、且つ、本発光量FlashBaseを確保するように、発光部４の発光強度Lmain及び発光時間Wmainの両方を制御するようにしたが、少なくとも第１発光パターンにおける発光期間の条件を満たし、且つ、本発光量FlashBaseを確保するように、発光部４の発光強度Lmain及び発光時間Wmainの両方を制御するような構成であれば良い。
【００７１】
また、上記実施形態１、２にあっては、第１発光パターンで発光部４を発光させる場合に、当該第１発光パターンにおける発光期間の条件を満たす発光部４の発光強度Lmain及び発光時間Wmainの組み合わせを複数特定し、特定された複数の組み合わせの中で、所定条件に基づいて何れか一組の発光強度Lmain及び発光時間Wmainに設定して発光部４を発光させても良い。例えば、発光部４の個体差等により発光の開始タイミングのバラツキが生じる虞があるため、予め最低発光時間を設定しておき、発光時間算出部５ｂにより算出された発光部４を最大発光強度Lmaxで発光すると想定した場合の基準発光時間Wstandardが最低発光時間よりも短くなった場合には、発光部４の発光時間Wmainを最低発光時間とし、当該最低発光時間に応じて発光強度Lmainを再計算により求めるようにしても良い。また、発光部４の発光強度を最大にした場合の動作安定性や電力の利用効率の個体バラツキ等を考慮して、発光強度Lmain及び発光時間Wmainを設定しても良い。
【００７２】
さらに、上記実施形態１、２にあっては、発光部４の発光強度Lmain及び発光時間Wmain以外の露出条件であって、所定値に固定される露出条件として、本画像の画像データの信号増幅率Gmainを例示したが、一例であってこれに限られるものではなく、例えば、絞り値や電子撮像部３ｂの露光時間Tmain等適宜任意に変更可能である。
【００７３】
また、上記実施形態１、２にあっては、発光手段として、ＬＥＤを例示したが、一例であってこれに限られるものではなく、発光強度Lmain及び発光時間Wmainの両方を調整可能な構成であれば適宜任意に変更可能である。
【００７４】
さらに、撮像装置１００、２００の構成は、上記実施形態１、２に例示したものは一例であり、これに限られるものではない。例えば、撮像モードとしてブレ低減モードを設定可能に構成し、ブレ低減モードが設定された場合には、発光部４を最大発光強度Lmaxで発光する第１発光パターンで発光するようにしても良い。
【００７５】
加えて、上記実施形態１、２にあっては、制御手段としての機能を、中央制御部１の制御下にて、第１発光制御部５ｅ（第２発光制御部５ｇ）が駆動することにより実現される構成としたが、これに限られるものではなく、中央制御部１のＣＰＵによって所定のプログラム等が実行されることにより実現される構成としても良い。
即ち、プログラムメモリ（図示略）に、制御処理ルーチンを含むプログラムを記録しておく。そして、制御処理ルーチンにより中央制御部１のＣＰＵを、撮像部３による被写体の撮像の際に、電子撮像部３ｂの全てのラインで同時に露光が行われている最終ラインの露光開始タイミングから先頭ラインの露光終了タイミングまでの共通露光期間と、発光部４が発光している発光期間との関係が所定条件を満たし、且つ、所定の発光量を確保するように、発光部４の発光強度Lmain及び発光時間の両方を制御する手段として機能させるようにしても良い。
【００７６】
同様に、第１判定手段、算出手段、第２判定手段、第３判定手段についても、中央制御部１のＣＰＵによって所定のプログラム等が実行されることにより実現される構成としても良い。
【００７７】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７８】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数のラインの各々の露光タイミングが異なる撮像手段と、
発光強度及び発光時間の両方を調整可能な発光手段と、
前記撮像手段による被写体の撮像の際に、当該撮像手段の全てのラインで同時に露光が行われている最終ラインの露光開始タイミングから先頭ラインの露光終了タイミングまでの共通露光期間と、前記発光手段が発光している発光期間との関係が所定条件を満たし、且つ、所定の発光量を確保するように、前記発光手段の発光強度及び発光時間の両方を制御する制御手段と、
を備えたことを特徴とする撮像装置。
＜請求項２＞
前記発光手段は、前記共通露光期間の内側に前記発光期間が配されるような第１発光パターンで発光可能に構成され、
前記制御手段は、更に、
前記第１発光パターンで前記発光手段を発光させる場合に、当該第１発光パターンにおける前記発光期間の条件を満たし、且つ、前記所定の発光量を確保するように、前記発光手段の発光強度及び発光時間の両方を制御することを特徴とする請求項１に記載の撮像装置。
＜請求項３＞
前記発光手段は、更に、
前記共通露光期間の内側に前記発光期間が配されるような第１発光パターンと、前記撮像手段の先頭ラインの露光開始タイミングから最終ラインの露光終了タイミングまでの全露光期間の外側に前記発光期間が配されるような第２発光パターンとを切替えて発光可能に構成され、
前記制御手段は、更に、
前記第１発光パターン及び前記第２発光パターンのうち、何れか一の発光パターンを選択して前記発光手段を発光させる場合に、選択された何れか一の発光パターンにおける前記発光期間の条件を満たし、且つ、前記所定の発光量を確保するように、前記発光手段の発光強度及び発光時間の両方を制御することを特徴とする請求項２に記載の撮像装置。
＜請求項４＞
前記制御手段は、更に、
前記第１発光パターン及び前記第２発光パターンのうち、前記第１発光パターンを優先的に選択して前記発光手段を発光させることを特徴とする請求項３に記載の撮像装置。
＜請求項５＞
前記第１発光パターンにおける前記発光期間の条件を満たし、且つ、前記所定の発光量を確保するように前記発光手段の発光強度及び発光時間を設定可能か否かを判定する第１判定手段を更に備え、
前記制御手段は、前記第１判定手段により設定可能であると判定された場合に、前記第１発光パターン及び前記第２発光パターンのうち、前記第１発光パターンを選択して前記発光手段を発光させることを特徴とする請求項４に記載の撮像装置。
＜請求項６＞
前記発光手段の発光強度を最大にして前記所定の発光量を確保するために継続して当該発光手段を発光する発光時間を算出する算出手段を更に備え、
前記第１判定手段は、前記算出手段により算出された発光時間が前記第１発光パターンにおける前記発光期間の条件を満たすか否かを判定し、
前記制御手段は、前記第１判定手段により前記第１発光パターンにおける前記発光期間の条件を満たすと判定された場合に、前記発光手段の発光強度を最大、且つ、発光時間を前記算出手段により算出された発光時間に設定して前記発光手段を発光させることを特徴とする請求項５に記載の撮像装置。
＜請求項７＞
前記制御手段は、更に、前記第１発光パターンで前記発光手段を発光させる場合に、当該第１発光パターンにおける前記発光期間の条件を満たす前記発光手段の発光強度及び発光時間の組み合わせを複数特定し、特定された複数の組み合わせの中で、所定条件に基づいて何れか一組の発光強度及び発光時間に設定して前記発光手段を発光させることを特徴とする請求項２〜６の何れか一項に記載の撮像装置。
＜請求項８＞
前記所定の発光量は、前記撮像手段により撮像される画像が適正な明るさとなるように規定された発光量を含むことを特徴とする請求項１〜７の何れか一項に記載の撮像装置。
＜請求項９＞
前記所定の発光量は、前記撮像手段による被写体の本撮像前に、所定の仮発光条件で前記発光手段を発光させつつ前記撮像手段により仮撮像された画像の明るさに基づいて、前記撮像手段により本撮像される画像が適正な明るさとなるように規定された発光量を含むことを特徴とする請求項８に記載の撮像装置。
＜請求項１０＞
前記制御手段は、更に、
前記撮像手段による被写体の撮像の際に、前記発光手段の発光強度及び発光時間以外の露出条件を所定値に固定した状態で当該発光手段の発光強度及び発光時間の両方を制御することを特徴とする請求項８又は９に記載の撮像装置。
＜請求項１１＞
前記所定値に固定される露出条件は、前記撮像手段により撮像される画像の信号増幅率を含むことを特徴とする請求項１０に記載の撮像装置。
＜請求項１２＞
前記撮像手段により静止画像を撮像しているか動画像を撮像しているかを判定する第２判定手段を更に備え、
前記制御手段は、前記第２判定手段により前記静止画像を撮像していると判定された場合に、前記共通露光期間と前記発光期間との関係が所定条件を満たし、且つ、前記所定の発光量を確保するように、前記発光手段の発光強度及び発光時間の両方を制御することを特徴とする請求項１〜１１の何れか一項に記載の撮像装置。
＜請求項１３＞
撮像モードが自分撮りモードであるか否かを判定する第３判定手段を更に備え、
前記制御手段は、前記第３判定手段により前記自分撮りモードであると判定された場合に、前記撮像手段による被写体の撮像の際に、前記共通露光期間と前記発光期間との関係が所定条件を満たし、且つ、前記所定の発光量を確保するように、前記発光手段の発光強度及び発光時間の両方を制御することを特徴とする請求項１〜１２の何れか一項に記載の撮像装置。
＜請求項１４＞
前記制御手段は、更に、前記発光手段の発光強度と発光時間との乗算により算出される発光量が前記所定の発光量となるように、前記発光手段の発光強度及び発光時間の両方を制御することを特徴とする請求項１〜１３の何れか一項に記載の撮像装置。
＜請求項１５＞
複数のラインの各々の露光タイミングが異なる撮像手段と、発光強度及び発光時間の両方を調整可能な発光手段とを備える撮像装置を用いた撮像方法であって、
前記撮像手段による被写体の撮像の際に、当該撮像手段の全てのラインで同時に露光が行われている最終ラインの露光開始タイミングから先頭ラインの露光終了タイミングまでの共通露光期間と、前記発光手段が発光している発光期間との関係が所定条件を満たし、且つ、所定の発光量を確保するように、前記発光手段の発光強度及び発光時間の両方を制御する処理、
を含むことを特徴とする撮像方法。
＜請求項１６＞
複数のラインの各々の露光タイミングが異なる撮像手段と、発光強度及び発光時間の両方を調整可能な発光手段とを備える撮像装置が有するコンピュータを、
前記撮像手段による被写体の撮像の際に、当該撮像手段の全てのラインで同時に露光が行われている最終ラインの露光開始タイミングから先頭ラインの露光終了タイミングまでの共通露光期間と、前記発光手段が発光している発光期間との関係が所定条件を満たし、且つ、所定の発光量を確保するように、前記発光手段の発光強度及び発光時間の両方を制御する制御手段、
として機能させることを特徴とするプログラム。
【符号の説明】
【００７９】
１００、２００  撮像装置
１      中央制御部
２      メモリ
３      撮像部
４      発光部
５、２０５  撮像制御部
５ａ    本発光量算出部
５ｂ    発光時間算出部
５ｃ    パターン判定部
５ｄ    撮像形式判定部
５ｅ    第１発光制御部
５ｆ    モード判定部
５ｇ    第２発光制御部
【図１】
0006515469.tif 000008
【図２】
0006515469.tif 000009
【図３】
0006515469.tif 000010
【図４】
0006515469.tif 000011
【図５】
0006515469.tif 000012
【図６】
0006515469.tif 000013
【図７】
0006515469.tif 000014